(57)【要約】【課題】簡単な回路構成で、複数のレーザ光源の駆動周波数相互のばらつきを無くすことができるレーザ光源駆動回路を得る。一つのレーザラインと別のレーザラインとの重なり部分を受光器で受光しても、双方のレーザ光の位相ずれなどがなく、受光器が誤動作することを回避することができる墨出し器を得る。【解決手段】発振器からなる複数の周波数源３１，３２と、個々の周波数源によって生成される信号の周波数でパルス駆動される複数のレーザ光源と、複数の周波数源に電源を供給する電源ラインと、電源ラインに接続されていて電源ラインに生ずる脈動を積分するフィルタ２０と、を備えている。水平ライン光または垂直ライン光を照射するための光源として複数のレーザ光源を具備し、各レーザ光源の駆動回路として上記のレーザ光源駆動回路を具備している。【選択図】図１
2007324533.tif 000002
【特許請求の範囲】
【請求項１】
発振器からなる複数の周波数源と、
個々の周波数源によって生成される信号の周波数でパルス駆動される複数のレーザ光源と、
複数の周波数源に電源を供給する電源ラインと、
電源ラインに接続されていて電源ラインに生ずる脈動を積分するフィルタと、を備えているレーザ光源駆動回路。
【請求項２】
発振器は、電源電圧の変動によって発振周波数が変動する発振器である請求項１記載のレーザ光源駆動回路。
【請求項３】
発振器は、弛緩発振器である請求項２記載のレーザ光源駆動回路。
【請求項４】
発振器は、電圧可変型発振器である請求項２記載のレーザ光源駆動回路。
【請求項５】
各電圧可変型発振器のコントロール端子が電源ラインに接続されている請求項４記載のレーザ光源駆動回路。
【請求項６】
発振器からなる複数の周波数源と、
個々の周波数源によって生成される信号の周波数でパルス駆動される複数のレーザ光源と、を備え、
上記発振器はＬＣ発振器であり、各発振器のインダクタが磁気的に結合されていているレーザ光源駆動回路。
【請求項７】
照射対象面に水平ライン光または垂直ライン光を照射する墨出し器であって、水平ライン光または垂直ライン光を照射するための光源として複数のレーザ光源を具備し、各レーザ光源の駆動回路として請求項１乃至６のいずれかに記載のレーザ光源駆動回路を具備する墨出し器。
【請求項８】
複数のレーザ光源は、それぞれのレーザ光源によって照射対象面に照射されるライン光が一直線状に連続するように配置されている請求項７記載の墨出し器。
【発明の詳細な説明】
【技術分野】
【０００１】
本発明は、複数のパルスレーザ光源を駆動するためのレーザ光源駆動回路およびそれを用いた墨出し器に関するもので、特に、個々のレーザ光源駆動回路の周波数のばらつきおよび位相ずれを改善することができるレーザ光源駆動回路および墨出し器に関するものである。
【背景技術】
【０００２】
所定の周波数のパルス信号でレーザ光源を駆動するパルスレーザ光源用発振器がある。この発振器によって駆動されるパルスレーザ光源を複数備えた各種レーザ機器が知られている。例えば、レーザ墨出し器はそのひとつである。レーザ墨出し器は、建築現場や土木建設現場などにおいて、壁面にレーザによる水平ライン光あるいは鉛直ライン光を照射し、さらには、鉛直ライン光に連続したライン光を床面、天井面などに照射し、これらのライン光を基準にして建築や建設を進めるための機器である。レーザ墨出し器の仕様として、例えば全周にわたって水平ライン光または鉛直ライン光を照射できること、というように、広い角度範囲にわたってライン光を照射できるものであることを要求されることがある。
【０００３】
墨出し器の光源としては半導体レーザが用いられ、この半導体レーザと、半導体レーザから放射される発散レーザ光を平行光束にするコリメータレンズと、平行光束を一方向にのみ拡散させるシリンドリカルレンズまたは円柱レンズと、を有してなるレーザ光源ユニットを備えている。しかし、レーザ光源ユニットの上記シリンドリカルレンズまたは円柱レンズでレーザ光束を拡散することができる角度には限度があり、照射できるライン光の範囲にも限度があって、１個のレーザ光源ユニットだけでは、広い角度範囲にわたってライン光を照射できるものであることという上記の要求を満たすことができない。
そこで、上記の要求を満たすために、複数のレーザ光源ユニットを備え、一つのレーザ光源ユニットによって照射されるライン光と他のレーザ光源ユニットによって照射されるライン光とが一直線状に連続するようにした墨出し器が提供されている。
【０００４】
ところで、レーザ墨出し器を日中の屋外で使用する場合、周囲が明るいため、照射対象面に照射されているレーザのライン光を目視で確認することは困難である。仮にライン光を目視で確認することができたとしても、その位置を正確に確認することは難しい。レーザ墨出し器から照射対象面までの距離が長くなればなるほどライン光の明るさが低下するため、その確認は難しくなる。そこで、受光器を使用することによってレーザのライン光の位置を確実にかつ正確に確認することができるようにし、屋外でのレーザ墨出し器の使用を可能にしている。レーザ墨出し器用の受光器は、レーザライン光を受光する受光素子を有し、レーザライン光が受光素子の基準位置にあるかどうか、基準位置にないとすれば、基準位置からいずれの向きにずれているかを検出することができるように構成されている。受光器の出力を墨出し器側に送信し、墨出し器側では受光器の出力を見ながらライン光が受光素子の基準位置に合致するように墨出し器自身の向きを制御する自動制御装置が提案されている。あるいは、オペレータが受光器の表示を見て、ライン光が受光素子の基準位置に合致するように墨出し器の向きを調整し、または、基準位置にライン光を照射し、受光器の基準位置が上記ライン光に合致するように受光器をセットするようにした手動調整によるものが提案されている。
【０００５】
前述の、一つのレーザ光源ユニットによって照射されるライン光と他方のレーザ光源ユニットによって照射されるライン光とが一直線状に連続するようにした墨出し器を使用し、この墨出し器で照射されるライン光を上記受光器で受光してライン光を受光する場合、受光器が誤動作することがある。すなわち、各レーザ光源ユニットを駆動するパルスレーザ光源駆動回路の駆動周波数にばらつきがあると、一つのレーザ光源ユニットからのライン光と他のレーザ光源ユニットからのライン光との重なり部分を上記受光器の受光素子が検出するとき、一方のライン光のオン・オフのタイミングと他方のライン光のオン・オフのタイミングが連続的に変動し、受光器によって受けるライン光の位置は変わらないとしても、受光素子の出力が時間とともに変動して、受光器が誤動作するからである。
【０００６】
このような受光器の誤動作を防ぐには、複数のパルスレーザ光源を駆動する駆動回路の周波数を安定化させ、個々のパルスレーザ光源を同期させて動作させる必要がある。
ここで、複数のパルスレーザ光源駆動回路の従来例について検討する。
図７に示す例は、単一の周波数源２を有し、この周波数源２を複数のレーザ駆動回路１１，１２，１３、・・・１ｎで共通に使用するようにした例である。各レーザ駆動回路１１，１２，１３、・・・１ｎによって図示されない各レーザ光源がパルス駆動されるようになっている。
【０００７】
図８に示す例は、複数のレーザ駆動回路１１，１２，２３に対応して個々独立に周波数源２１，２２，２３を備えている例で、各周波数源２１，２２，２３には、これに対応するデカップリング回路４１，４２，４３を介して共通の電源回路３から電源が供給されるようになっている。各レーザ駆動回路１１，１２，２３は、これらの駆動回路に対応して接続されている図示されないレーザ光源を駆動するようになっていて、それぞれのレーザ光源が駆動されるとき、電源ラインに電圧降下が発生し、これによって各周波数源２１，２２，２３の周波数変動その他の不具合が生じないように、デカップリング回路４１，４２，４３が単独の電源回路３と各周波数源２１，２２，２３の間に接続されている。
【０００８】
図９に示す例は、パルスレーザ光源を安定した周波数で駆動するために、発振回路に水晶振動子またはセラミック振動子を用いた例である。発振回路は、演算増幅器５を主体として、その入出力端子間に抵抗１５を接続し、入力端子とアース間にコンデンサ９を、出力端子とアース間に抵抗１６とコンデンサ１０の直列回路を、入力端子と上記抵抗１６とコンデンサ１０との接続点との間に振動子８を接続することによって構成されている。発振回路によって生成された一定周波数の信号は演算増幅器６を経て分周回路７により分周され、レーザ駆動回路１に入力される。レーザ駆動回路１は入力された信号に従って、図示されないレーザ光源をパルス駆動する。
【０００９】
図１０に示す例は、ローコストの発振回路の例で、シュミットトリガ回路１６を用いた弛緩発振器の例である。シュミットトリガ回路１６はＩＣ化されたものを使用することができ、シュミットトリガ回路１６の入力端子と出力端子間には抵抗１８が接続され、入力端子はコンデンサ１７を介してアースされている。シュミットトリガ回路１６から出力される一定周波数の信号によって図示されないレーザ光源が駆動される。シュミットトリガ回路１６を用いた弛緩発振器のほかに、オペアンプを使用した発振器、あるいはＬＣ発振器などを用いる場合もある。
【００１０】
一つ一つのレーザ光源は、立ち上がり速度およびたち下がり速度にばらつきがあり、図７に示す例のような単一の周波数源で複数のレーザ光源を駆動すると、一つ一つのレーザ光源の平均出力がばらつく。そのため、レーザ光源ごとに平均出力の調整を行なう必要があり、この調整が煩雑であることから、生産コストが嵩む難点がある。
図８に示す例のような複数のレーザ駆動回路１１，１２，２３に対応して個々独立に周波数源２１，２２，２３を備えている例では、一つ一つのレーザ光源の駆動周波数がばらつきやすい。したがって、これを例えば前述の一つのレーザ光源によるライン光と別のレーザ光源によるライン光とを重ねて一直線状に連続させるレーザ墨出し器に適用した場合には、一つのレーザラインと別のレーザラインとの重なり部分を受光器で受光するとき、双方のレーザ光の位相ずれなどによって受光器が誤動作し、正しい受光器の出力を得ることができない、という難点がある。
【００１１】
図９に示すような発振回路に水晶振動子またはセラミック振動子を用いた例によれば、水晶やセラミックの振動子はそれ自体サイズが大きく、加えてパルス駆動レーザ光源を駆動する目的に対しては発振周波数が高いため、分周器７を用いる必要があり、小型化するには難点がある。また、これらの回路部品を必要とするためコスト高になる難点もある。
図１０に示すような弛緩発振器などは、小型でローコストであるという利点があるが、電源電圧の変動などによって発振周波数が大きく変動するため、周波数変動が少なく、周波数精度を高める工夫が要求される。また、周波数のばらつきも大きく、目的の周波数を得るためには、高精度の回路部品を使用する必要があり、場合によっては、多くの発振器の中から、目的の周波数のものを選別することも求められることがある。
知られているその他の発振回路も、回路規模が大きく、小型化することが困難であるという難点がある。
【００１２】
レーザ光源の周波数安定化に関しては各種の工夫がなされていて特許文献にも記載されている。その一つは、標準物質を封入した吸収セルに半導体レーザの出力光を透過させ、標準物質の吸収線に半導体レーザの発振周波数を制御する周波数安定化半導体レーザにおいて、半導体レーザの発振周波数を吸収線に制御する周波数制御手段と、半導体レーザの温度を検出する第１の温度検出器と、周囲温度を検出する第２の温度検出器と、第１、第２の温度検出器の出力に基づき半導体レーザの温度を制御する温度制御手段と、を有してなるものである（特許文献１参照）。
【００１３】
また、複数の周波数に同時にロックすることができ、複数のレーザ光源の周波数を一度に安定化させるために、試料に照射するポンプ光とプローブ光を得るための第一の光源と、第一の光源のプローブ光と合波される光を得るための第二の光源と、第一の光源からの光をポンプ光とプローブ光とに分波するための分波手段と、第一の光源からのプローブ光と第二の光源からの光とを合波する合波手段と、ポンプ光と合波手段により合波された光とが対向して試料に照射されるように調整する光路調整手段と、試料からの出力光を検出するための光検出手段と、光検出手段の検出値に基づいて第一の光源および第二の光源のいずれかまたは両方の周波数を調整するための周波数調整手段と、を具備するレーザ周波数安定化装置が提案されている（特許文献２参照）。
【００１４】
【特許文献１】特開平７−２８３４７５号公報
【特許文献２】特開２００６−７３７５５公報
【発明の開示】
【発明が解決しようとする課題】
【００１５】
特許文献１記載の発明は、単独の半導体レーザの発振周波数を安定化させる発明であって、複数のレーザ光源相互の駆動周波数のずれを無くす目的のものではなく、構成が複雑になる難点がある。
特許文献２記載の発明は、複数のレーザ光源の周波数を一度に安定化させることを目的の一つとしているが、光学系に分波手段、合波手段、光路調整手段、光検出手段などを必要として光学系の構成が複雑になり、また、周波数調整手段は第一の光源および第二の光源の周波数を個々に調節するものであって、複数のレーザ光源の周波数が同じになるようにするものでもない。
【００１６】
本発明は、図７乃至図１０に示すような従来のレーザ光源駆動回路が持っている問題点を解消して、簡単な回路構成でありながら、複数のレーザ光源の駆動周波数相互のばらつきを無くすことができるレーザ光源駆動回路を得ることを目的とする。
本発明はまた、複数のレーザ光源の駆動周波数相互のばらつきを無くすことができるレーザ光源駆動回路を、一つのレーザ光源によるライン光と別のレーザ光源によるライン光とを重ねて一直線状に連続させるレーザ墨出し器に適用することにより、一つのレーザラインと別のレーザラインとの重なり部分を受光器で受光しても、双方のレーザ光の位相ずれなどがなく、受光器が誤動作することを回避することができる墨出し器を得ることを目的とする。
【課題を解決するための手段】
【００１７】
本発明にかかるレーザ光源駆動回路は、発振器からなる複数の周波数源と、個々の周波数源によって生成される信号の周波数でパルス駆動される複数のレーザ光源と、複数の周波数源に電源を供給する電源ラインと、電源ラインに接続されていて電源ラインに生ずる脈動を積分するフィルタと、を備えていることを最も主要な特徴とする。
発振器は、電源電圧の変動によって発振周波数が変動する発振器とするとよい。かかる発振器として、弛緩発振器あるいは電圧可変型発振器を採用することができる。
発振器が電圧可変型発振器の場合、そのコントロール端子が電源ラインに接続されているとよい。
【００１８】
本発明にかかるレーザ光源駆動回路は、発振器からなる複数の周波数源と、個々の周波数源によって生成される信号の周波数でパルス駆動される複数のレーザ光源と、を備え、上記発振器はＬＣ発振器であり、各発振器のインダクタが磁気的に結合されてなる構成であってもよい。
【００１９】
本発明にかかる墨出し器は、照射対象面に水平ライン光または垂直ライン光を照射する墨出し器であって、水平ライン光または垂直ライン光を照射するための光源として複数のレーザ光源を具備し、各レーザ光源の駆動回路として上記のレーザ光源駆動回路を具備していることを特徴とする。
上記墨出し器において、複数のレーザ光源は、それぞれのレーザ光源によって照射対象面に照射されるライン光が一直線状に連続するように配置されているものであると効果的である。
【発明の効果】
【００２０】
電源ラインに接続されている複数のレーザ光源が駆動されることによって電源ラインに脈動が発生し、この脈動をフィルタが積分して脈動が平均化され、なだらかな波形になる。複数のレーザ光源をパルス駆動する個々の周波数源の位相がずれると、個々のレーザ光源が駆動されるタイミングで電源ラインに脈動が発生し、脈動の位相もずれるが、電源ラインにフィルタが接続されていることにより脈動が平均化されてその周期は一定となり、各周波数源は一定周期の脈動に引き込まれて互いに位相が同期した信号を出力し、この信号によって各レーザ光源が駆動され、各レーザ光源が同期してパルス駆動される。
【００２１】
上記レーザ光源駆動回路を、水平ライン光または垂直ライン光を照射するための光源として複数のレーザ光源を具備する墨出し器に適用することによって、複数のレーザ光源を同期させてパルス駆動することができる。特に、各レーザ光源によって照射対象面に照射されるライン光が一直線状に連続するようにレーザ光源が配置されている墨出し器を使用し、一つのレーザラインと別のレーザラインとの重なり部分を受光器で受光する場合、双方のレーザ光の位相ずれなどがなくなるため、受光器が誤動作することを回避することができる。
【発明を実施するための最良の形態】
【００２２】
以下、本発明にかかるレーザ光源駆動回路およびそれを用いた墨出し器の実施例について、図１乃至図５を参照しながら説明する。
【実施例１】
【００２３】
図１において、電源ＶＣＣから複数の周波数源３１，３２に電源を供給する電源ラインにはフィルタ２０が接続されていて、フィルタ２０を経た共通の電源ラインから周波数源３１，３２に電源が供給されるように回路構成されている。周波数源３１，３２は同じ回路構成で、それぞれシュミットトリガ回路１６１，１６２を主体とした弛緩発振器からなる。シュミットトリガ回路１６１，１６２は例えばＩＣ化されていて、各シュミットトリガ回路１６１，１６２には上記電源ラインから電源が供給される。各シュミットトリガ回路１６１，１６２の入出力端子間には抵抗１８１，１８２が接続され、入力端子はコンデンサ１７１，１７２を介してアースに接続されている。各シュミットトリガ回路１６１，１６２の出力信号によって図示されないレーザ光源が駆動されるようになっている。すなわち、個々の周波数源によって生成される信号の周波数でパルス駆動される複数のレーザ光源が各シュミットトリガ回路１６１，１６２の出力端子に接続されている。フィルタ２０は、電源ラインに生ずる脈動を積分するフィルタである。具体例として、電源ラインに直列にコイル（インダクタ）を接続し、コイルの両端とアースとの間にコンデンサを接続してなる平滑回路に類似した回路構成とすることができる。フィルタ２０は、急峻に立ち上がるまたは立ち下がる電圧を吸収して平均化することができる。
【００２４】
図１に示す実施例における周波数源３１，３２は、シュミットトリガ回路１６１，１６２を主体として構成された弛緩発振器であって、電源電圧の変動によって発振周波数が変動する特性がある。この特性を利用し、電源ラインにフィルタ２０を接続することによって各周波数源３１，３２の出力信号の同期を図っている。図２、図３は上記実施例による電源ラインの脈動の平均化およびそれによる各周波数源３１，３２の引き込み作用を説明している。
【００２５】
各周波数源３１，３２は同じ周波数のパルス信号を出力するように調整されているが、独立に動作して個別に発振動作してパルス信号を出力する。図２（ａ）は周波数源３１，３２から出力されるパルス信号を示しており、第１のレーザ光源および第２のレーザ光源がこれらのパルス信号によってパルス駆動される。個々の周波数源３１，３２の特性にはばらつきがあり、このばらつきを原因として、それらの出力信号パルスには周波数のばらつきを生じ、限られた時間の範囲内では、図２（ａ）に示すように位相差として現れる。
【００２６】
第１のレーザ光源および第２のレーザ光源が上記の各パルス信号に基づいて駆動されることにより、電源ラインには負荷変動に基づいて図２（ｂ）に示すような脈動が発生する。この脈動にも、各周波数源３１，３２の出力の位相差に対応した位相差が反映される。ただし、第１のレーザ光源および第２のレーザ光源は同時にパルス駆動されるため、電源ラインには、図２（ｂ）に示す二つの脈動が合成された波形の脈動が生じる。この合成された脈動はフィルタ２０で平均化され、図３に示すように、急峻な立ち上がり、立下りがなだらかに平均化されるとともにその周期が１本化される。各周波数源３１，３２を構成する発振器は、電源電圧の変動によって出力信号の周波数が変動する発振器であるため、脈動周期が１本化された電源電圧に従い、各周波数源３１，３２の出力信号周波数が互いに引き込まれて１本化され、位相差も解消する。
【００２７】
このように、上記実施例によれば、発振器からなる複数の周波数源の出力周波数が同じ周波数に収束し、パルス発光する各レーザ光源の位相の同期を図ることができる。
上記実施例にかかるレーザ光源駆動回路をレーザ墨出し器に適用し、各レーザ光源によって照射対象面に照射されるライン光が一直線状に連続するようにレーザ光源を配置したものにおいて、一つのレーザラインと別のレーザラインとの重なり部分を受光器で受光する場合、双方のレーザ光の位相ずれなどがなくなるため、受光器が誤動作することを回避することができる。
【実施例２】
【００２８】
図４は、本発明にかかるレーザ光源駆動回路の第２の実施例を示す。この実施例も、電源ＶＣＣからフィルタ２０を介して共通の電源ラインから各周波数源である発振器５１，５２に電源を供給するように構成されている。フィルタ２０は、前記実施例におけるフィルタ２０と同様、電源ラインに生ずる脈動を積分するフィルタである。上記発振器５１，５２は電圧制御発振器（以下「ＶＣＯ」という）からなり、制御端子に印加される電圧に応じて発振周波数が変化する発振器である。そこで、各発振器５１，５２の制御端子５１１，５２１をフィルタ２０を介した電源ラインに接続しれている。各発振器５１，５２の出力端子にはレーザ光源６１，６２が接続され、各発振器５１，５２の出力によってレーザ光源６１，６２がパルス駆動されるようになっている。
【００２９】
図４に示す実施例の場合も、各レーザ光源６１，６２がパルス駆動されることによって電源ラインに脈動が発生する。この脈動は前述のとおりフィルタ２０によって積分され平均化されて脈動周期が１本化され、この脈動周期に対応してＶＣＯからなる発振器５１，５２が同じ周波数でかつ同期した周波数信号を出力し、この周波数信号に基づき各レーザ光源６１，６２が同期してパルス駆動される。よって、図４に示すレーザ光源駆動回路をレーザ墨出し器に適用して複数のレーザ光源を同期してパルス駆動することにより、前述の効果と同様の効果を得ることができる墨出し器を得ることができる。
【００３０】
なお、これまで説明してきた実施例に適した発振器は、電源電圧の変動によって発振周波数が変動する発振器が望ましく、図１、図４に示す発振器のほかに、オペアンプを使用した発振器など、低コストで小型の発振器を使用することができる。
【実施例３】
【００３１】
図５は、本発明にかかるレーザ光源駆動回路の第３の実施例を示す。この実施例は、複数の周波数源９１，９２を構成する発振器を、それぞれトランジスタ７１，７２、インダクタ８１，８２を主体として構成したものである。トランジスタ７１，７２は、インダクタ８１，８２およびそれぞれ二つのコンデンサ７１１，７１２と７２１，７２２とともにＬＣ発振回路を構成していて、これらインダクタのインダクタンスと上記各コンデンサの容量とで決まる周波数で発振する。周波数源９１，９２の発振周波数は相互に同じになるように上記インダクタとコンデンサの値が設定されている。上記二つのインダクタ８１，８２は、例えばそのコアを一直線状の共通のコアとし、あるいは双方のコアを一直線上に近接して配置するなどして、磁気的に結合されていている。各周波数源９１，９２にはこれを駆動するための電源が供給されるが、この実施例においては、必ずしも前述の実施例のようにフィルタを介した共通の電源ラインから供給する必要はなく、個別の電源を供給するようにしてもよい。
【００３２】
図５に示す実施例によれば、複数の周波数源９１，９２を構成するＬＣ発振回路が磁気的に結合されているため、複数の発振回路の発振周波数が変動して位相差が発生しようとすると、複数の発振回路が互いに影響を及ぼしあって引き込み作用が発生し、発振回路の発振周波数が１本化されるとともに位相も同期する。したがって、このレーザ光源駆動回路を構成する複数の周波数源ごとに、その周波数によってレーザ光源を駆動するようにすることによって各レーザ光源を同期させてパルス駆動することができる。また、このレーザ光源駆動回路をレーザ墨出し器に適用することによって、前述の実施例と同様の効果を得ることができる。
【００３３】
図６は、参考までに、上記複数の周波数源９１，９２を構成するＬＣ発振回路のインダクタ８１，８２の方向を互いに直角にして、二つのＬＣ発振回路の磁気結合を遮断した例を示す。個々のＬＣ発振回路の構成は図５の例と同じである。図６に示す回路構成の場合は、二つのＬＣ発振回路は磁気的に結合されていないため、図５に示す例のような発振回路相互の引き込み作用はなく、双方の発振周波数および出力信号の位相がずれる可能性がある。
【００３４】
以上説明した本発明の実施例によって得られる効果は以下のとおりである。
１．個々の周波数源相互の出力周波数のばらつきを改善することができ、複数のレーザ光源相互で安定した発光性能を得ることができる。
２．低コストで小型の発振器であっても、複数の発振器相互間で出力周波数のばらつきのないレーザ光源駆動回路を得ることができる。
３．周波数源の数が多いほど周波数のばらつきを効果的に改善することができる。
４．複数の周波数源を備えるレーザ光源駆動回路基板を共通化することができ、コストの低廉化に有利である。
【図面の簡単な説明】
【００３５】
【図１】本発明にかかるレーザ光源駆動回路の一実施例を示す回路図である。
【図２】上記実施例の動作を示すもので、（ａ）は複数のレーザ光源のパルス駆動のタイミングチャート、（ｂ）は電源ラインに生じる脈動のタイミングチャートである。
【図３】上記実施例においてフィルタを通した電源の脈動の例を示す波形図である。
【図４】本発明にかかるレーザ光源駆動回路の別の実施例を示す回路図である。
【図５】本発明にかかるレーザ光源駆動回路のさらに別の実施例を示す回路図である。
【図６】図５に示す実施例に関連して二つの発振器の磁気結合を遮断した例を示す回路図である。
【図７】従来のレーザ光源駆動回路の例を示す回路図である。
【図８】従来のレーザ光源駆動回路の別の例を示す回路図である。
【図９】従来のレーザ光源駆動回路のさらに別の例を示す回路図である。
【図１０】従来のレーザ光源駆動回路のさらに別の例を示す回路図である。
【符号の説明】
【００３６】
２０    フィルタ
３１    周波数源
３２    周波数源
５１    周波数源
５２    周波数源
６１    レーザ光源
６２    レーザ光源
８１    インダクタ
８２    インダクタ
９１    周波数源
９２    周波数源
１６１    シュミットトリガ回路
１６２    シュミットトリガ回路
【図１】
2007324533.tif 000003
【図２】
2007324533.tif 000004
【図３】
2007324533.tif 000005
【図４】
2007324533.tif 000006
【図５】
2007324533.tif 000007
【図６】
2007324533.tif 000008
【図７】
2007324533.tif 000009
【図８】
2007324533.tif 000010
【図９】
2007324533.tif 000011
【図１０】
2007324533.tif 000012